(57)【要約】【課題】本発明は水産養殖用糞便沈降処理器を開示した。【解決手段】養殖地を含み、前記養殖地の中には上方に開口した養殖チャンバが設置され、前記養殖チャンバに水産を養殖することができ、前記養殖チャンバの右側には沈降チャンバが設置され、前記養殖チャンバの下方には前記養殖チャンバと前記沈降チャンバとの連通を制御する制御機構が設置され、前記沈降チャンバの右側には流出口が連通するように設置され、前記養殖チャンバの中の養殖水が前記沈降チャンバの中に流れて前記流出口から流れ出ることができ、前記制御機構の右側には前記流出口を塞ぐ封閉機構が設置され、前記制御機構と前記封閉機構とが連動しており、前記制御機構が前記養殖チャンバと前記沈降チャンバとを連通させると同時に前記流出口を封閉することができる。【選択図】図１
2020195362.tif 000002
【特許請求の範囲】
【請求項１】
水産養殖用糞便沈降処理器であって、正面視で、養殖地を含み、前記養殖地の中には上方に開口した養殖チャンバが設置され、前記養殖チャンバに水産を養殖することができ、前記養殖チャンバの右側には沈降チャンバが設置され、前記養殖チャンバの下方には前記養殖チャンバと前記沈降チャンバとの連通を制御する制御機構が設置され、前記沈降チャンバの右側には流出口が連通するように設置され、前記養殖チャンバの中の養殖水が前記沈降チャンバの中に流れて前記流出口から流れ出ることができ、前記制御機構の右側には前記流出口を塞ぐ封閉機構が設置され、前記制御機構と前記封閉機構とが連動しており、前記制御機構が前記養殖チャンバと前記沈降チャンバとを連通させると同時に前記流出口を封閉することができ、
前記沈降チャンバの中には前記沈降チャンバの中の糞便を輸送できる輸送機構が設置され、前記輸送機構は前記沈降チャンバの底壁の中に連通するように設置された糞便槽を含み、前記沈降チャンバの前側内壁には推動チャンバが連通するように設置され、前記推動チャンバの中には固定板がスライド可能に装着され、前記固定板の移動により前記糞便槽と前記沈降チャンバとを連通することで、前記輸送機構が糞便を前記糞便槽の中に輸送することができることを特徴とする水産養殖用糞便沈降処理器。
【請求項２】
前記養殖チャンバの底壁には分離器が固定的に装着され、前記分離器の中にはスライドチャンバが設置されていることを特徴とする請求項１に記載の水産養殖用糞便沈降処理器。
【請求項３】
前記吸塵装置は連結チャンバとスライドブロックと移動チャンバとスライド棒とにより構成され、
前記連結チャンバが前記養殖チャンバの底壁の中に連通するように設置され、前記連結チャンバの中には前記スライドブロックがスライド可能に装着され、前記連結チャンバの下方には前記移動チャンバが連通するように設置され、前記移動チャンバの中には前記スライド棒がスライド可能に装着され、前記スライド棒の頂面と前記スライドブロックの底面とが固定的に連結されていることを特徴とする請求項１に記載の水産養殖用糞便沈降処理器。
【請求項４】
前記連結チャンバの右側には流通チャンバが連通するように設置され、前記流通チャンバの下方にはヒンジ繋チャンバが設置され、前記ヒンジ繋チャンバの左側には引き動かしチャンバが連通するように設置され、前記引き動かしチャンバの中には引き動かし棒がスライド可能に装着され、前記引き動かし棒の前側面には補助ブロックが固定的に装着され、前記スライド棒の中には補助チャンバが設置され、前記補助チャンバと前記補助ブロックとがスライド可能に装着され、前記ヒンジ繋チャンバの右側には当て板チャンバが連通するように設置され、前記当て板チャンバの中には前記流通チャンバの底壁を貫通した当て板がスライド可能に装着され、前記当て板にはヒンジ繋棒がヒンジによって装着され、前記ヒンジ繋棒と前記引き動かし棒とがヒンジで繋がれ、前記当て板チャンバの右側には動力チャンバが連通するように設置され、前記動力チャンバの中にはねじ山ブロックがスライド可能に装着され、前記ねじ山ブロックと前記当て板とが固定的に連結され、前記ねじ山ブロックの中には下方に開口したねじ山穴が設置され、前記動力チャンバの下方には伝動チャンバが設置され、前記伝動チャンバの底壁の中には第一モータが固定的に装着され、前記第一モータの上に向かった出力軸の頂面には前記動力チャンバの底壁を貫通した動力棒が固定的に装着され、前記動力棒と前記ねじ山穴とがねじ山によって装着されていることを特徴とする請求項１に記載の水産養殖用糞便沈降処理器。
【請求項５】
前記封閉機構は位置制限チャンバと、位置制限板と、伝動棒と、隔離チャンバと、隔離板と、第一歯車と、第二歯車と第一チェーンとにより構成され、
前記位置制限チャンバが前記伝動チャンバの上方に設置され、前記位置制限チャンバの中には前記位置制限板がスライド可能に装着され、前記位置制限チャンバの頂壁の中には前記伝動チャンバの頂壁を貫通した前記伝動棒が回転可能に装着され、前記位置制限チャンバの右側には前記隔離チャンバが連通するように設置され、前記隔離チャンバと前記沈降チャンバとが連通しており、前記隔離チャンバの中には前記隔離板がスライド可能に装着され、前記隔離板の左側面と前記位置制限板の右側面とが固定的に連結され、前記伝動棒の底面には前記第一歯車が固定的に装着され、前記動力棒において前記伝動チャンバの中には前記第二歯車が固定的に装着され、前記第二歯車と前記第一歯車との間には前記第一チェーンが伝動可能に装着されていることを特徴とする請求項１に記載の水産養殖用糞便沈降処理器。
【請求項６】
前記流出口の中には濾過網が固定的に装着されていることを特徴とする請求項１に記載の水産養殖用糞便沈降処理器。
【請求項７】
前記輸送機構はまたチェーンチャンバと、第二モータと、回転棒と推動板とにより構成され、
前記チェーンチャンバが前記沈降チャンバの前側に設置され、前記沈降チャンバの後側には前記第二モータが固定的に装着され、前記第二モータの前に向いた出力軸の前側面には前記チェーンチャンバの後側内壁を貫通した前記回転棒が固定的に装着され、前記回転棒において前記沈降チャンバの中には前記推動板がねじ山によって装着され、前記推動板と前記沈降チャンバとがスライド可能に装着されていることを特徴とする請求項１に記載の水産養殖用糞便沈降処理器。
【請求項８】
前記回転棒の前側面には第三歯車が固定的に装着され、前記第三歯車の後側には固定チャンバが設置され、前記固定チャンバの中には固定ブロックがスライド可能に装着され、前記固定ブロックの後側内壁の中には前記チェーンチャンバの後側内壁を貫通した連結棒が回転可能に装着され、前記連結棒と前記固定ブロックとがねじ山によって装着され、前記連結棒の前側面には第四歯車が固定的に装着され、前記第四歯車と前記第三歯車との間には第二チェーンが伝動可能に装着され、前記固定ブロックの左側面と前記固定板の右側面とが固定的に連結されていることを特徴とする請求項１に記載の水産養殖用糞便沈降処理器。
【発明の詳細な説明】
【技術分野】
【０００１】
本発明は水産養殖用糞便処理技術分野に関し、具体的には水産養殖用糞便沈降処理器に関する。
【背景技術】
【０００２】
水産養殖において、養殖物の糞便が養殖水環境を破壊する主な汚染物として、有機物の含有量が高く、分解する時大量な酸素を消耗し、水に一定時間内により高い酸素消耗量を維持させ、酸素生成量が酸素消耗量よりはるかに小さく、酸欠環境を形成し、こういう環境の中、有害物が水中で迅速に溜まり、水質を悪化させる。
一般の水産養殖用糞便沈降処理器は糞便の処理中に、養殖水をもう一つの空間に移す時、養殖物を一緒に連れて行く事があり、養殖物の損失を招き、しかも一般的な水産養殖用糞便沈降処理器は糞便の沈降の完了後、人力によって糞便を引き上げるのであり、作業量が巨大で、効率も低く、糞便の異臭も残ってしまう。
【先行技術文献】
【特許文献】
【０００３】
【特許文献１】中国特許出願公開第104263642号明細書
【発明の概要】
【発明が解決しようとする課題】
【０００４】
本願発明の目的は水産養殖用糞便沈降処理器を提供し、現有技術における上記問題を解決する。
【課題を解決するための手段】
【０００５】
本発明は以下の技術プランを提供する：本発明である水産養殖用糞便沈降処理器は、養殖地を含み、前記養殖地の中には上方に開口した養殖チャンバが設置され、前記養殖チャンバに水産を養殖することができ、前記養殖チャンバの右側には沈降チャンバが設置され、前記養殖チャンバの下方には前記養殖チャンバと前記沈降チャンバとの連通を制御する制御機構が設置され、前記沈降チャンバの右側には流出口が連通するように設置され、前記養殖チャンバの中の養殖水が前記沈降チャンバの中に流れて前記流出口から流れ出ることができ、前記制御機構の右側には前記流出口を塞ぐ封閉機構が設置され、前記制御機構と前記封閉機構とが連動しており、前記制御機構が前記養殖チャンバと前記沈降チャンバとを連通させると同時に前記流出口を封閉することができる。
【０００６】
前述した技術プランの上で、前記沈降チャンバの中には前記沈降チャンバの中の糞便を輸送できる輸送機構が設置され、前記輸送機構は前記沈降チャンバの底壁の中に連通するように設置された糞便槽を含み、前記沈降チャンバの前側内壁には推動チャンバが連通するように設置され、前記推動チャンバの中には固定板がスライド可能に装着され、前記固定板の移動により前記糞便槽と前記沈降チャンバとを連通することで、前記輸送機構が糞便を前記糞便槽の中に輸送することができる。
【０００７】
前述した技術プランの上で、前前記養殖チャンバの底壁には分離器が固定的に装着され、前記分離器の中にはスライドチャンバが設置されている。
【０００８】
前述した技術プランの上で、前記制御機構は前記養殖チャンバの底壁の中に連通するように設置された連結チャンバを含み、前記連結チャンバの中にはスライドブロックがスライド可能に装着され、前記連結チャンバの下方には移動チャンバが連通するように設置され、前記移動チャンバの中にはスライド棒がスライド可能に装着され、前記スライド棒の頂面と前記スライドブロックの底面とが固定的に連結されている。
【０００９】
前述した技術プランの上で、前記連結チャンバの右側には流通チャンバが連通するように設置され、前記流通チャンバの下方にはヒンジ繋チャンバが設置され、前記ヒンジ繋チャンバの左側には引き動かしチャンバが連通するように設置され、前記引き動かしチャンバの中には引き動かし棒がスライド可能に装着され、前記引き動かし棒の前側面には補助ブロックが固定的に装着され、前記スライド棒の中には補助チャンバが設置され、前記補助チャンバと前記補助ブロックとがスライド可能に装着され、前記ヒンジ繋チャンバの右側には当て板チャンバが連通するように設置され、前記当て板チャンバの中には前記流通チャンバの底壁を貫通した当て板がスライド可能に装着され、前記当て板にはヒンジ繋棒がヒンジによって装着され、前記ヒンジ繋棒と前記引き動かし棒とがヒンジで繋がれ、前記当て板チャンバの右側には動力チャンバが連通するように設置され、前記動力チャンバの中にはねじ山ブロックがスライド可能に装着され、前記ねじ山ブロックと前記当て板とが固定的に連結され、前記ねじ山ブロックの中には下方に開口したねじ山穴が設置され、前記動力チャンバの下方には伝動チャンバが設置され、前記伝動チャンバの底壁の中には第一モータが固定的に装着され、前記第一モータの上に向かった出力軸の頂面には前記動力チャンバの底壁を貫通した動力棒が固定的に装着され、前記動力棒と前記ねじ山穴とがねじ山によって装着されている。
【００１０】
前記封閉機構は位置制限チャンバと、位置制限板と、伝動棒と、隔離チャンバと、隔離板と、第一歯車と、第二歯車と第一チェーンとにより構成され、
前記位置制限チャンバが前記伝動チャンバの上方に設置され、前記位置制限チャンバの中には前記位置制限板がスライド可能に装着され、前記位置制限チャンバの頂壁の中には前記伝動チャンバの頂壁を貫通した前記伝動棒が回転可能に装着され、前記位置制限チャンバの右側には前記隔離チャンバが連通するように設置され、前記隔離チャンバと前記沈降チャンバとが連通しており、前記隔離チャンバの中には前記隔離板がスライド可能に装着され、前記隔離板の左側面と前記位置制限板の右側面とが固定的に連結され、前記伝動棒の底面には前記第一歯車が固定的に装着され、前記動力棒において前記伝動チャンバの中には前記第二歯車が固定的に装着され、前記第二歯車と前記第一歯車との間には前記第一チェーンが伝動可能に装着されている。
【００１１】
前記流出口の中には濾過網が固定的に装着されている。
【００１２】
前記輸送機構はまたチェーンチャンバと、第二モータと、回転棒と推動板とにより構成され、
前記チェーンチャンバが前記沈降チャンバの前側に設置され、前記沈降チャンバの後側には前記第二モータが固定的に装着され、前記第二モータの前に向いた出力軸の前側面には前記チェーンチャンバの後側内壁を貫通した前記回転棒が固定的に装着され、前記回転棒において前記沈降チャンバの中には前記推動板がねじ山によって装着され、前記推動板と前記沈降チャンバとがスライド可能に装着されている。
【００１３】
前記回転棒の前側面には第三歯車が固定的に装着され、前記第三歯車の後側には固定チャンバが設置され、前記固定チャンバの中には固定ブロックがスライド可能に装着され、前記固定ブロックの後側内壁の中には前記チェーンチャンバの後側内壁を貫通した連結棒が回転可能に装着され、前記連結棒と前記固定ブロックとがねじ山によって装着され、前記連結棒の前側面には第四歯車が固定的に装着され、前記第四歯車と前記第三歯車との間には第二チェーンが伝動可能に装着され、前記固定ブロックの左側面と前記固定板の右側面とが固定的に連結されている。
【発明の効果】
【００１４】
本発明の有益効果は：本発明の制御機構の中のスライドブロックが上に移動して養殖チャンバと連結チャンバとを連通させ、養殖チャンバ内の養殖水が流通チャンバを通って沈降チャンバの中に入る過程において、分離器によって養殖物が連結チャンバの中に入って養殖物の沈降チャンバ内の進入によって招いた損失を防止でき、一方、沈降チャンバと養殖チャンバの中の養殖水がバランスを取った後、当て板が上に移動して養殖チャンバと沈降チャンバとを連通させなく、沈降チャンバの中の養殖水が養殖チャンバの中に流れ戻ることを防止でき、沈降チャンバの中の養殖水が濾過網と流出口から排出され、糞便を沈降チャンバの中に残し、輸送機構の中に推動板により糞便を糞便槽の中に輸送し、人力の引き上げによらなくても完全な処理を保証でき、宣伝価値がある。
【図面の簡単な説明】
【００１５】
下記に図1〜５をあわせて本発明について詳しく説明し、便利に説明するために、下記の方向を以下のように規定する：図１は本発明装置の正面図であり、以下に述べる上下左右前後の方向と図1の自身投影関係の上下左右前後の方向とが一致である。
【００１６】
【図１】図１は本発明の構成概略図
【図２】図２は図１の「Ａ―Ａ」方向の断面構成概略図
【図３】図３は図１の「Ｂ―Ｂ」方向の断面構成概略図
【図４】図４は図２の「Ｃ―Ｃ」方向の断面構成概略図
【図５】図５は図２の「Ｄ―Ｄ」方向の断面構成概略図
【発明を実施するための形態】
【００１７】
図１〜５を参照し、本発明の実施例における水産養殖用糞便沈降処理器は、養殖地１２を含み、前記養殖地１２の中には上方に開口した養殖チャンバ１１が設置され、前記養殖チャンバ１１に水産を養殖することができ、前記養殖チャンバ１１の右側には沈降チャンバ４６が設置され、前記養殖チャンバ１１の下方には前記養殖チャンバ１１と前記沈降チャンバ４６との連通を制御する制御機構１０１が設置され、前記沈降チャンバ４６の右側には流出口３９が連通するように設置され、前記養殖チャンバ１１の中の養殖水が前記沈降チャンバ４６の中に流れて前記流出口３９から流れ出ることができ、前記制御機構１０１の右側には前記流出口３９を塞ぐ封閉機構１０２が設置され、前記制御機構１０１と前記封閉機構１０２とが連動しており、前記制御機構１０１が前記養殖チャンバ１１と前記沈降チャンバ４６とを連通させると同時に前記流出口３９を封閉することができ、
前記沈降チャンバ４６の中には前記沈降チャンバ４６の中の糞便を輸送できる輸送機構１０３が設置され、前記輸送機構１０３は前記沈降チャンバ４６の底壁の中に連通するように設置された糞便槽５８を含み、前記沈降チャンバ４６の前側内壁には推動チャンバ５３が連通するように設置され、前記推動チャンバ５３の中には固定板４９がスライド可能に装着され、前記固定板４９の移動により前記糞便槽５８と前記沈降チャンバ４６とを連通することで、前記輸送機構１０３が糞便を前記糞便槽５８の中に輸送することができる。
【００１８】
また、前記養殖チャンバ１１の底壁には分離器１７が固定的に装着され、前記分離器１７の中にはスライドチャンバ１８が設置され、前記分離器１７は前記養殖チャンバ１１の中の養殖水が前記沈降チャンバ４６の中に移られる過程において、養殖物が前記沈降チャンバ４６の中に連れて行かれることを防止できる。
【００１９】
また、前記制御機構１０１は前記養殖チャンバ１１の底壁の中に連通するように設置された連結チャンバ１５を含み、前記連結チャンバ１５の中にはスライドブロック１６がスライド可能に装着され、前記連結チャンバ１５の下方には移動チャンバ２４が連通するように設置され、前記移動チャンバ２４の中にはスライド棒１３がスライド可能に装着され、前記スライド棒１３の頂面と前記スライドブロック１６の底面とが固定的に連結されていることで、前記養殖チャンバ１１の中の養殖水を前記沈降チャンバ４６の中に注ぐ時、前記スライド棒１３が前記スライドブロック１６を連れて上に移動し、更に前記養殖チャンバ１１と前記連結チャンバ１５とを連通することによって、前記養殖チャンバ１１の中の養殖水が前記連結チャンバ１５の中に入ることができる。  
【００２０】
また、前記連結チャンバ１５の右側には流通チャンバ１９が連通するように設置され、前記流通チャンバ１９の下方にはヒンジ繋チャンバ２６が設置され、前記ヒンジ繋チャンバ２６の左側には引き動かしチャンバ１４が連通するように設置され、前記引き動かしチャンバ１４の中には引き動かし棒２１がスライド可能に装着され、前記引き動かし棒２１の前側面には補助ブロック２２が固定的に装着され、前記スライド棒１３の中には補助チャンバ２５が設置され、前記補助チャンバ２５と前記補助ブロック２２とがスライド可能に装着され、前記ヒンジ繋チャンバ２６の右側には当て板チャンバ２８が連通するように設置され、前記当て板チャンバ２８の中には前記流通チャンバ１９の底壁を貫通した当て板２０がスライド可能に装着され、前記当て板２０にはヒンジ繋棒２７がヒンジによって装着され、前記ヒンジ繋棒２７と前記引き動かし棒２１とがヒンジで繋がれ、前記当て板チャンバ２８の右側には動力チャンバ４１が連通するように設置され、前記動力チャンバ４１の中にはねじ山ブロック４４がスライド可能に装着され、前記ねじ山ブロック４４と前記当て板２０とが固定的に連結され、前記ねじ山ブロック４４の中には下方に開口したねじ山穴４３が設置され、前記動力チャンバ４１の下方には伝動チャンバ３２が設置され、前記伝動チャンバ３２の底壁の中には第一モータ２９が固定的に装着され、前記第一モータ２９の上に向かった出力軸の頂面には前記動力チャンバ４１の底壁を貫通した動力棒４２が固定的に装着され、前記動力棒４２と前記ねじ山穴４３とがねじ山によって装着されていることで、前記養殖チャンバ１１と前記沈降チャンバ４６とを連通する時、前記第一モータ２９が起動して前記動力棒４２を回転連動させ、前記動力棒４２の回転が前記ねじ山ブロック４４と前記当て板２０との移動を連動させることによって、前記当て板２０が前記ヒンジ繋棒２７によって前記引き動かし棒２１を連動させて右に移動させ、前記引き動かし棒２１が前記補助チャンバ２５と前記補助ブロック２２とを介して前記スライド棒１３を上に移動させ、更に前記養殖チャンバ１１と前記沈降チャンバ４６とが連通する。
【００２１】
また、前記封閉機構１０２は前記伝動チャンバ３２の上方に設置された位置制限チャンバ３６を含み、前記位置制限チャンバ３６の中には位置制限板３５がスライド可能に装着され、前記位置制限チャンバ３６の頂壁の中には前記伝動チャンバ３２の頂壁を貫通した伝動棒３４が回転可能に装着され、前記位置制限チャンバ３６の右側には隔離チャンバ３８が連通するように設置され、前記隔離チャンバ３８と前記沈降チャンバ４６とが連通しており、前記隔離チャンバ３８の中には隔離板３７がスライド可能に装着され、前記隔離板３７の左側面と前記位置制限板３５の右側面とが固定的に連結され、前記伝動棒３４の底面には第一歯車３３が固定的に装着され、前記動力棒４２において前記伝動チャンバ３２の中には第二歯車３０が固定的に装着され、前記第二歯車３０と前記第一歯車３３との間には第一チェーン３１が伝動可能に装着されていることで、前記当て板２０が下に移動する時、前記動力棒４２が回転して第二歯車３０を回転連動させ、前記第二歯車３０が前記第一チェーン３１を介して前記第一歯車３３と前記伝動棒３４とを回転させ、伝動棒３４の回転が前記位置制限板３５と前記隔離板３７とを上に移動させ、前記隔離板３７が前記流出口３９と前記沈降チャンバ４６とを仕切る。
【００２２】
また、前記流出口３９の中には濾過網４０が固定的に装着され、前記濾過網４０は養殖水内の糞便と水とを分離させ、糞便が前記流出口３９から流れ出ることを防止できる。
【００２３】
また、前記輸送機構１０３は前記沈降チャンバ４６の前側に設置されたチェーンチャンバ５０を含み、前記沈降チャンバ４６の後側には第二モータ４７が固定的に装着され、前記第二モータ４７の前に向いた出力軸の前側面には前記チェーンチャンバ５０の後側内壁を貫通した回転棒４８が固定的に装着され、前記回転棒４８において前記沈降チャンバ４６の中には推動板４５がねじ山によって装着され、前記推動板４５と前記沈降チャンバ４６とがスライド可能に装着されていることで、糞便を前記糞便槽５８の中に送る過程において、前記第二モータ４７が起動して前記回転棒４８の回転を連動させ、前記回転棒４８の回転が前記推動板４５を前に移動させ、糞便の移動を動かす。
【００２４】
また、前記回転棒４８の前側面には第三歯車５１が固定的に装着され、前記第三歯車５１の後側には固定チャンバ５６が設置され、前記固定チャンバ５６の中には固定ブロック５７がスライド可能に装着され、前記固定ブロック５７の後側内壁の中には前記チェーンチャンバ５０の後側内壁を貫通した連結棒５５が回転可能に装着され、前記連結棒５５と前記固定ブロック５７とがねじ山によって装着され、前記連結棒５５の前側面には第四歯車５４が固定的に装着され、前記第四歯車５４と前記第三歯車５１との間には第二チェーン５２が伝動可能に装着され、前記固定ブロック５７の左側面と前記固定板４９の右側面とが固定的に連結されていることで、前記推動板４５が前に移動する時、前記回転棒４８が回転して前記第三歯車５１の回転を連動させ、前記第三歯車５１が前記第二チェーン５２によって前記第四歯車５４と前記連結棒５５とを回転連動させ、前記連結棒５５の回転が前記固定ブロック５７と前記固定板４９とを前に移動させ、更に前記沈降チャンバ４６と前記糞便槽５８とを連通させ、前記推動板４５が糞便を前記糞便槽５８の中に送り込む。
【００２５】
使用する時、養殖チャンバ１１と沈降チャンバ４６とを連通する時、第一モータ２９が起動して動力棒４２を回転連動させ、動力棒４２の回転がねじ山ブロック４４と当て板２０との下への移動を連動させることによって、当て板２０がヒンジ繋棒２７によって引き動かし棒２１を連動させて右に移動させ、引き動かし棒２１が補助チャンバ２５と補助ブロック２２とを介してスライド棒１３を上に移動させ、スライド棒１３がスライドブロック１６を上に移動連動され、更に養殖チャンバ１１と連結チャンバ１５とを連通し、養殖チャンバ１１の中の養殖水が連結チャンバ１５の中に入ることができ、そして流通チャンバ１９を通って沈降チャンバ４６の中に入り、当て板２０が下に移動する時、動力棒４２の回転が第二歯車３０の回転を連動させ、第二歯車３０が第一チェーン３１によって第一歯車３３と伝動棒３４との回転を連動させ、伝動棒３４の回転が位置制限板３５と隔離板３７とを上に移動させ、隔離板３７が流出口３９と沈降チャンバ４６とを仕切り、養殖チャンバ１１と沈降チャンバ４６の中の養殖水がバランスを取った後、第一モータ２９が反転して当て板２０を連動させて上に移動させ、養殖チャンバ１１と沈降チャンバ４６とを連通させなく、この時沈降チャンバ４６の中の養殖水が濾過網４０に濾過されてから流出口３９から排出され、糞便が沈降チャンバ４６の底部に残り、そして第二モータ４７が起動して回転棒４８の回転を連動させ、回転棒４８の回転が推動板４５を連動させて前に移動させ、糞便の移動を押し動かし、推動板４５が前に移動する時、回転棒４８の回転が第三歯車５１の回転を連動させ、第三歯車５１が第二チェーン５２によって第四歯車５４と連結棒５５とを回転連動させ、連結棒５５の回転が固定ブロック５７と固定板４９を前に移動させ、沈降チャンバ４６と糞便槽５８とを連通させ、推動板４５が糞便を糞便槽５８の中に送り込む。
【００２６】
本発明の有益効果は：本発明の制御機構の中のスライドブロックが上に移動して養殖チャンバと連結チャンバとを連通させ、養殖チャンバ内の養殖水が流通チャンバを通って沈降チャンバの中に入る過程において、分離器によって養殖物が連結チャンバの中に入って養殖物の沈降チャンバ内の進入によって招いた損失を防止でき、一方、沈降チャンバと養殖チャンバの中の養殖水がバランスを取った後、当て板が上に移動して養殖チャンバと沈降チャンバとを連通させなく、沈降チャンバの中の養殖水が養殖チャンバの中に流れ戻ることを防止でき、沈降チャンバの中の養殖水が濾過網と流出口から排出され、糞便を沈降チャンバの中に残し、輸送機構の中に推動板により糞便を糞便槽の中に輸送し、人力の引き上げによらなくても完全な処理を保証でき、宣伝価値がある。
【００２７】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020195362.tif 000003
【図２】
2020195362.tif 000004
【図３】
2020195362.tif 000005
【図４】
2020195362.tif 000006
【図５】
2020195362.tif 000007
【手続補正書】
【提出日】令和2年2月26日(2020.2.26)
【手続補正１】
【補正対象書類名】特許請求の範囲
【補正対象項目名】全文
【補正方法】変更
【補正の内容】
【特許請求の範囲】
【請求項１】
水産養殖用糞便沈降処理器であって、正面視で、養殖地を含み、前記養殖地の中には上方に開口した養殖チャンバが設置され、前記養殖チャンバに水産を養殖することができ、前記養殖チャンバの右側には沈降チャンバが設置され、前記養殖チャンバの下方には前記養殖チャンバと前記沈降チャンバとの連通を制御する制御機構が設置され、前記沈降チャンバの右側には流出口が連通するように設置され、前記養殖チャンバの中の養殖水が前記沈降チャンバの中に流れて前記流出口から流れ出ることができ、前記制御機構の右側には前記流出口を塞ぐ封閉機構が設置され、前記制御機構と前記封閉機構とが連動しており、前記制御機構が前記養殖チャンバと前記沈降チャンバとを連通させると同時に前記流出口を封閉することができ、  
前記沈降チャンバの中には前記沈降チャンバの中の糞便を輸送できる輸送機構が設置され、前記輸送機構は前記沈降チャンバの底壁の中に連通するように設置された糞便槽を含み、前記沈降チャンバの前側内壁には推動チャンバが連通するように設置され、前記推動チャンバの中には固定板がスライド可能に装着され、前記固定板の移動により前記糞便槽と前記沈降チャンバとを連通することで、前記輸送機構が糞便を前記糞便槽の中に輸送することができることを特徴とする水産養殖用糞便沈降処理器。  
【請求項２】
前記養殖チャンバの底壁には分離器が固定的に装着され、前記分離器の中にはスライドチャンバが設置されていることを特徴とする請求項１に記載の水産養殖用糞便沈降処理器。  
【請求項３】
前記制御機構は連結チャンバとスライドブロックと移動チャンバとスライド棒とにより構成され、  
前記連結チャンバが前記養殖チャンバの底壁の中に連通するように設置され、前記連結チャンバの中には前記スライドブロックがスライド可能に装着され、前記連結チャンバの下方には前記移動チャンバが連通するように設置され、前記移動チャンバの中には前記スライド棒がスライド可能に装着され、前記スライド棒の頂面と前記スライドブロックの底面とが固定的に連結されていることを特徴とする請求項１に記載の水産養殖用糞便沈降処理器。
【請求項４】
前記連結チャンバの右側には流通チャンバが連通するように設置され、前記流通チャンバの下方にはヒンジ繋チャンバが設置され、前記ヒンジ繋チャンバの左側には引き動かしチャンバが連通するように設置され、前記引き動かしチャンバの中には引き動かし棒がスライド可能に装着され、前記引き動かし棒の前側面には補助ブロックが固定的に装着され、前記スライド棒の中には補助チャンバが設置され、前記補助チャンバと前記補助ブロックとがスライド可能に装着され、前記ヒンジ繋チャンバの右側には当て板チャンバが連通するように設置され、前記当て板チャンバの中には前記流通チャンバの底壁を貫通した当て板がスライド可能に装着され、前記当て板にはヒンジ繋棒がヒンジによって装着され、前記ヒンジ繋棒と前記引き動かし棒とがヒンジで繋がれ、前記当て板チャンバの右側には動力チャンバが連通するように設置され、前記動力チャンバの中にはねじ山ブロックがスライド可能に装着され、前記ねじ山ブロックと前記当て板とが固定的に連結され、前記ねじ山ブロックの中には下方に開口したねじ山穴が設置され、前記動力チャンバの下方には伝動チャンバが設置され、前記伝動チャンバの底壁の中には第一モータが固定的に装着され、前記第一モータの上に向かった出力軸の頂面には前記動力チャンバの底壁を貫通した動力棒が固定的に装着され、前記動力棒と前記ねじ山穴とがねじ山によって装着されていることを特徴とする請求項３に記載の水産養殖用糞便沈降処理器。  
【請求項５】
前記封閉機構は位置制限チャンバと、位置制限板と、伝動棒と、隔離チャンバと、隔離板と、第一歯車と、第二歯車と第一チェーンとにより構成され、  
前記位置制限チャンバが前記伝動チャンバの上方に設置され、前記位置制限チャンバの中には前記位置制限板がスライド可能に装着され、前記位置制限チャンバの頂壁の中には前記伝動チャンバの頂壁を貫通した前記伝動棒が回転可能に装着され、前記位置制限チャンバの右側には前記隔離チャンバが連通するように設置され、前記隔離チャンバと前記沈降チャンバとが連通しており、前記隔離チャンバの中には前記隔離板がスライド可能に装着され、前記隔離板の左側面と前記位置制限板の右側面とが固定的に連結され、前記伝動棒の底面には前記第一歯車が固定的に装着され、前記動力棒において前記伝動チャンバの中には前記第二歯車が固定的に装着され、前記第二歯車と前記第一歯車との間には前記第一チェーンが伝動可能に装着されていることを特徴とする請求項４に記載の水産養殖用糞便沈降処理器。  
【請求項６】
前記流出口の中には濾過網が固定的に装着されていることを特徴とする請求項１に記載の水産養殖用糞便沈降処理器。  
【請求項７】
前記輸送機構はまたチェーンチャンバと、第二モータと、回転棒と推動板とにより構成され、
前記チェーンチャンバが前記沈降チャンバの前側に設置され、前記沈降チャンバの後側には前記第二モータが固定的に装着され、前記第二モータの前に向いた出力軸の前側面には前記チェーンチャンバの後側内壁を貫通した前記回転棒が固定的に装着され、前記回転棒において前記沈降チャンバの中には前記推動板がねじ山によって装着され、前記推動板と前記沈降チャンバとがスライド可能に装着されていることを特徴とする請求項１に記載の水産養殖用糞便沈降処理器。  
【請求項８】
前記回転棒の前側面には第三歯車が固定的に装着され、前記第三歯車の後側には固定チャンバが設置され、前記固定チャンバの中には固定ブロックがスライド可能に装着され、前記固定ブロックの後側内壁の中には前記チェーンチャンバの後側内壁を貫通した連結棒が回転可能に装着され、前記連結棒と前記固定ブロックとがねじ山によって装着され、前記連結棒の前側面には第四歯車が固定的に装着され、前記第四歯車と前記第三歯車との間には第二チェーンが伝動可能に装着され、前記固定ブロックの左側面と前記固定板の右側面とが固定的に連結されていることを特徴とする請求項７に記載の水産養殖用糞便沈降処理器。
【手続補正２】
【補正対象書類名】明細書
【補正対象項目名】全文
【補正方法】変更
【補正の内容】
【発明の詳細な説明】
【技術分野】
【０００１】
本発明は水産養殖用糞便処理技術分野に関し、具体的には水産養殖用糞便沈降処理器に関する。  
【背景技術】
【０００２】
水産養殖において、養殖物の糞便が養殖水環境を破壊する主な汚染物として、有機物の含有量が高く、分解する時大量な酸素を消耗し、水に一定時間内により高い酸素消耗量を維持させ、酸素生成量が酸素消耗量よりはるかに小さく、酸欠環境を形成し、こういう環境の中、有害物が水中で迅速に溜まり、水質を悪化させる。  
一般の水産養殖用糞便沈降処理器は糞便の処理中に、養殖水をもう一つの空間に移す時、養殖物を一緒に連れて行く事があり、養殖物の損失を招き、しかも一般的な水産養殖用糞便沈降処理器は糞便の沈降の完了後、人力によって糞便を引き上げるのであり、作業量が巨大で、効率も低く、糞便の異臭も残ってしまう。  
【先行技術文献】
【特許文献】
【０００３】
【特許文献１】中国特許出願公開第１０４２６３６４２号明細書
【発明の概要】
【発明が解決しようとする課題】
【０００４】
本願発明の目的は水産養殖用糞便沈降処理器を提供し、現有技術における上記問題を解決する。  
【課題を解決するための手段】
【０００５】
本発明は以下の技術プランを提供する：本発明である水産養殖用糞便沈降処理器は、養殖地を含み、前記養殖地の中には上方に開口した養殖チャンバが設置され、前記養殖チャンバに水産を養殖することができ、前記養殖チャンバの右側には沈降チャンバが設置され、前記養殖チャンバの下方には前記養殖チャンバと前記沈降チャンバとの連通を制御する制御機構が設置され、前記沈降チャンバの右側には流出口が連通するように設置され、前記養殖チャンバの中の養殖水が前記沈降チャンバの中に流れて前記流出口から流れ出ることができ、前記制御機構の右側には前記流出口を塞ぐ封閉機構が設置され、前記制御機構と前記封閉機構とが連動しており、前記制御機構が前記養殖チャンバと前記沈降チャンバとを連通させると同時に前記流出口を封閉することができる。  
【０００６】
前述した技術プランの上で、前記沈降チャンバの中には前記沈降チャンバの中の糞便を輸送できる輸送機構が設置され、前記輸送機構は前記沈降チャンバの底壁の中に連通するように設置された糞便槽を含み、前記沈降チャンバの前側内壁には推動チャンバが連通するように設置され、前記推動チャンバの中には固定板がスライド可能に装着され、前記固定板の移動により前記糞便槽と前記沈降チャンバとを連通することで、前記輸送機構が糞便を前記糞便槽の中に輸送することができる。  
【０００７】
前述した技術プランの上で、前記養殖チャンバの底壁には分離器が固定的に装着され、前記分離器の中にはスライドチャンバが設置されている。  
【０００８】
前述した技術プランの上で、前記制御機構は前記養殖チャンバの底壁の中に連通するように設置された連結チャンバを含み、前記連結チャンバの中にはスライドブロックがスライド可能に装着され、前記連結チャンバの下方には移動チャンバが連通するように設置され、前記移動チャンバの中にはスライド棒がスライド可能に装着され、前記スライド棒の頂面と前記スライドブロックの底面とが固定的に連結されている。  
【０００９】
前述した技術プランの上で、前記連結チャンバの右側には流通チャンバが連通するように設置され、前記流通チャンバの下方にはヒンジ繋チャンバが設置され、前記ヒンジ繋チャンバの左側には引き動かしチャンバが連通するように設置され、前記引き動かしチャンバの中には引き動かし棒がスライド可能に装着され、前記引き動かし棒の前側面には補助ブロックが固定的に装着され、前記スライド棒の中には補助チャンバが設置され、前記補助チャンバと前記補助ブロックとがスライド可能に装着され、前記ヒンジ繋チャンバの右側には当て板チャンバが連通するように設置され、前記当て板チャンバの中には前記流通チャンバの底壁を貫通した当て板がスライド可能に装着され、前記当て板にはヒンジ繋棒がヒンジによって装着され、前記ヒンジ繋棒と前記引き動かし棒とがヒンジで繋がれ、前記当て板チャンバの右側には動力チャンバが連通するように設置され、前記動力チャンバの中にはねじ山ブロックがスライド可能に装着され、前記ねじ山ブロックと前記当て板とが固定的に連結され、前記ねじ山ブロックの中には下方に開口したねじ山穴が設置され、前記動力チャンバの下方には伝動チャンバが設置され、前記伝動チャンバの底壁の中には第一モータが固定的に装着され、前記第一モータの上に向かった出力軸の頂面には前記動力チャンバの底壁を貫通した動力棒が固定的に装着され、前記動力棒と前記ねじ山穴とがねじ山によって装着されている。  
【００１０】
前記封閉機構は位置制限チャンバと、位置制限板と、伝動棒と、隔離チャンバと、隔離板と、第一歯車と、第二歯車と第一チェーンとにより構成され、  
前記位置制限チャンバが前記伝動チャンバの上方に設置され、前記位置制限チャンバの中には前記位置制限板がスライド可能に装着され、前記位置制限チャンバの頂壁の中には前記伝動チャンバの頂壁を貫通した前記伝動棒が回転可能に装着され、前記位置制限チャンバの右側には前記隔離チャンバが連通するように設置され、前記隔離チャンバと前記沈降チャンバとが連通しており、前記隔離チャンバの中には前記隔離板がスライド可能に装着され、前記隔離板の左側面と前記位置制限板の右側面とが固定的に連結され、前記伝動棒の底面には前記第一歯車が固定的に装着され、前記動力棒において前記伝動チャンバの中には前記第二歯車が固定的に装着され、前記第二歯車と前記第一歯車との間には前記第一チェーンが伝動可能に装着されている。  
【００１１】
前記流出口の中には濾過網が固定的に装着されている。  
【００１２】
前記輸送機構はまたチェーンチャンバと、第二モータと、回転棒と推動板とにより構成され、
前記チェーンチャンバが前記沈降チャンバの前側に設置され、前記沈降チャンバの後側には前記第二モータが固定的に装着され、前記第二モータの前に向いた出力軸の前側面には前記チェーンチャンバの後側内壁を貫通した前記回転棒が固定的に装着され、前記回転棒において前記沈降チャンバの中には前記推動板がねじ山によって装着され、前記推動板と前記沈降チャンバとがスライド可能に装着されている。  
【００１３】
前記回転棒の前側面には第三歯車が固定的に装着され、前記第三歯車の後側には固定チャンバが設置され、前記固定チャンバの中には固定ブロックがスライド可能に装着され、前記固定ブロックの後側内壁の中には前記チェーンチャンバの後側内壁を貫通した連結棒が回転可能に装着され、前記連結棒と前記固定ブロックとがねじ山によって装着され、前記連結棒の前側面には第四歯車が固定的に装着され、前記第四歯車と前記第三歯車との間には第二チェーンが伝動可能に装着され、前記固定ブロックの左側面と前記固定板の右側面とが固定的に連結されている。  
【発明の効果】
【００１４】
本発明の有益効果は：本発明の制御機構の中のスライドブロックが上に移動して養殖チャンバと連結チャンバとを連通させ、養殖チャンバ内の養殖水が流通チャンバを通って沈降チャンバの中に入る過程において、分離器によって養殖物が連結チャンバの中に入って養殖物の沈降チャンバ内の進入によって招いた損失を防止でき、一方、沈降チャンバと養殖チャンバの中の養殖水がバランスを取った後、当て板が上に移動して養殖チャンバと沈降チャンバとを連通させなく、沈降チャンバの中の養殖水が養殖チャンバの中に流れ戻ることを防止でき、沈降チャンバの中の養殖水が濾過網と流出口から排出され、糞便を沈降チャンバの中に残し、輸送機構の中に推動板により糞便を糞便槽の中に輸送し、人力の引き上げによらなくても完全な処理を保証でき、宣伝価値がある。  
【図面の簡単な説明】
【００１５】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。  
【００１６】
【図１】図１は本発明の構成概略図
【図２】図２は図１の「Ａ―Ａ」方向の断面構成概略図
【図３】図３は図１の「Ｂ―Ｂ」方向の断面構成概略図
【図４】図４は図２の「Ｃ―Ｃ」方向の断面構成概略図
【図５】図５は図２の「Ｄ―Ｄ」方向の断面構成概略図
【発明を実施するための形態】
【００１７】
図１〜５を参照し、本発明の実施例における水産養殖用糞便沈降処理器は、養殖地１２を含み、前記養殖地１２の中には上方に開口した養殖チャンバ１１が設置され、前記養殖チャンバ１１に水産を養殖することができ、前記養殖チャンバ１１の右側には沈降チャンバ４６が設置され、前記養殖チャンバ１１の下方には前記養殖チャンバ１１と前記沈降チャンバ４６との連通を制御する制御機構１０１が設置され、前記沈降チャンバ４６の右側には流出口３９が連通するように設置され、前記養殖チャンバ１１の中の養殖水が前記沈降チャンバ４６の中に流れて前記流出口３９から流れ出ることができ、前記制御機構１０１の右側には前記流出口３９を塞ぐ封閉機構１０２が設置され、前記制御機構１０１と前記封閉機構１０２とが連動しており、前記制御機構１０１が前記養殖チャンバ１１と前記沈降チャンバ４６とを連通させると同時に前記流出口３９を封閉することができ、  
前記沈降チャンバ４６の中には前記沈降チャンバ４６の中の糞便を輸送できる輸送機構１０３が設置され、前記輸送機構１０３は前記沈降チャンバ４６の底壁の中に連通するように設置された糞便槽５８を含み、前記沈降チャンバ４６の前側内壁には推動チャンバ５３が連通するように設置され、前記推動チャンバ５３の中には固定板４９がスライド可能に装着され、前記固定板４９の移動により前記糞便槽５８と前記沈降チャンバ４６とを連通することで、前記輸送機構１０３が糞便を前記糞便槽５８の中に輸送することができる。  
【００１８】
また、前記養殖チャンバ１１の底壁には分離器１７が固定的に装着され、前記分離器１７の中にはスライドチャンバ１８が設置され、前記分離器１７は前記養殖チャンバ１１の中の養殖水が前記沈降チャンバ４６の中に移られる過程において、養殖物が前記沈降チャンバ４６の中に連れて行かれることを防止できる。  
【００１９】
また、前記制御機構１０１は前記養殖チャンバ１１の底壁の中に連通するように設置された連結チャンバ１５を含み、前記連結チャンバ１５の中にはスライドブロック１６がスライド可能に装着され、前記連結チャンバ１５の下方には移動チャンバ２４が連通するように設置され、前記移動チャンバ２４の中にはスライド棒１３がスライド可能に装着され、前記スライド棒１３の頂面と前記スライドブロック１６の底面とが固定的に連結されていることで、前記養殖チャンバ１１の中の養殖水を前記沈降チャンバ４６の中に注ぐ時、前記スライド棒１３が前記スライドブロック１６を連れて上に移動し、更に前記養殖チャンバ１１と前記連結チャンバ１５とを連通することによって、前記養殖チャンバ１１の中の養殖水が前記連結チャンバ１５の中に入ることができる。  
【００２０】
また、前記連結チャンバ１５の右側には流通チャンバ１９が連通するように設置され、前記流通チャンバ１９の下方にはヒンジ繋チャンバ２６が設置され、前記ヒンジ繋チャンバ２６の左側には引き動かしチャンバ１４が連通するように設置され、前記引き動かしチャンバ１４の中には引き動かし棒２１がスライド可能に装着され、前記引き動かし棒２１の前側面には補助ブロック２２が固定的に装着され、前記スライド棒１３の中には補助チャンバ２５が設置され、前記補助チャンバ２５と前記補助ブロック２２とがスライド可能に装着され、前記ヒンジ繋チャンバ２６の右側には当て板チャンバ２８が連通するように設置され、前記当て板チャンバ２８の中には前記流通チャンバ１９の底壁を貫通した当て板２０がスライド可能に装着され、前記当て板２０にはヒンジ繋棒２７がヒンジによって装着され、前記ヒンジ繋棒２７と前記引き動かし棒２１とがヒンジで繋がれ、前記当て板チャンバ２８の右側には動力チャンバ４１が連通するように設置され、前記動力チャンバ４１の中にはねじ山ブロック４４がスライド可能に装着され、前記ねじ山ブロック４４と前記当て板２０とが固定的に連結され、前記ねじ山ブロック４４の中には下方に開口したねじ山穴４３が設置され、前記動力チャンバ４１の下方には伝動チャンバ３２が設置され、前記伝動チャンバ３２の底壁の中には第一モータ２９が固定的に装着され、前記第一モータ２９の上に向かった出力軸の頂面には前記動力チャンバ４１の底壁を貫通した動力棒４２が固定的に装着され、前記動力棒４２と前記ねじ山穴４３とがねじ山によって装着されていることで、前記養殖チャンバ１１と前記沈降チャンバ４６とを連通する時、前記第一モータ２９が起動して前記動力棒４２を回転連動させ、前記動力棒４２の回転が前記ねじ山ブロック４４と前記当て板２０との移動を連動させることによって、前記当て板２０が前記ヒンジ繋棒２７によって前記引き動かし棒２１を連動させて右に移動させ、前記引き動かし棒２１が前記補助チャンバ２５と前記補助ブロック２２とを介して前記スライド棒１３を上に移動させ、更に前記養殖チャンバ１１と前記沈降チャンバ４６とが連通する。  
【００２１】
また、前記封閉機構１０２は前記伝動チャンバ３２の上方に設置された位置制限チャンバ３６を含み、前記位置制限チャンバ３６の中には位置制限板３５がスライド可能に装着され、前記位置制限チャンバ３６の頂壁の中には前記伝動チャンバ３２の頂壁を貫通した伝動棒３４が回転可能に装着され、前記位置制限チャンバ３６の右側には隔離チャンバ３８が連通するように設置され、前記隔離チャンバ３８と前記沈降チャンバ４６とが連通しており、前記隔離チャンバ３８の中には隔離板３７がスライド可能に装着され、前記隔離板３７の左側面と前記位置制限板３５の右側面とが固定的に連結され、前記伝動棒３４の底面には第一歯車３３が固定的に装着され、前記動力棒４２において前記伝動チャンバ３２の中には第二歯車３０が固定的に装着され、前記第二歯車３０と前記第一歯車３３との間には第一チェーン３１が伝動可能に装着されていることで、前記当て板２０が下に移動する時、前記動力棒４２が回転して第二歯車３０を回転連動させ、前記第二歯車３０が前記第一チェーン３１を介して前記第一歯車３３と前記伝動棒３４とを回転させ、伝動棒３４の回転が前記位置制限板３５と前記隔離板３７とを上に移動させ、前記隔離板３７が前記流出口３９と前記沈降チャンバ４６とを仕切る。  
【００２２】
また、前記流出口３９の中には濾過網４０が固定的に装着され、前記濾過網４０は養殖水内の糞便と水とを分離させ、糞便が前記流出口３９から流れ出ることを防止できる。  
【００２３】
また、前記輸送機構１０３は前記沈降チャンバ４６の前側に設置されたチェーンチャンバ５０を含み、前記沈降チャンバ４６の後側には第二モータ４７が固定的に装着され、前記第二モータ４７の前に向いた出力軸の前側面には前記チェーンチャンバ５０の後側内壁貫通した回転棒４８が固定的に装着され、前記回転棒４８において前記沈降チャンバ４６の中には推動板４５がねじ山によって装着され、前記推動板４５と前記沈降チャンバ４６とがスライド可能に装着されていることで、糞便を前記糞便槽５８の中に送る過程において、前記第二モータ４７が起動して前記回転棒４８の回転を連動させ、前記回転棒４８の回転が前記推動板４５を前に移動させ、糞便の移動を動かす。  
【００２４】
また、前記回転棒４８の前側面には第三歯車５１が固定的に装着され、前記第三歯車５１の後側には固定チャンバ５６が設置され、前記固定チャンバ５６の中には固定ブロック５７がスライド可能に装着され、前記固定ブロック５７の後側内壁の中には前記チェーンチャンバ５０の後側内壁を貫通した連結棒５５が回転可能に装着され、前記連結棒５５と前記固定ブロック５７とがねじ山によって装着され、前記連結棒５５の前側面には第四歯車５４が固定的に装着され、前記第四歯車５４と前記第三歯車５１との間には第二チェーン５２が伝動可能に装着され、前記固定ブロック５７の左側面と前記固定板４９の右側面とが固定的に連結されていることで、前記推動板４５が前に移動する時、前記回転棒４８が回転して前記第三歯車５１の回転を連動させ、前記第三歯車５１が前記第二チェーン５２によって前記第四歯車５４と前記連結棒５５とを回転連動させ、前記連結棒５５の回転が前記固定ブロック５７と前記固定板４９とを前に移動させ、更に前記沈降チャンバ４６と前記糞便槽５８とを連通させ、前記推動板４５が糞便を前記糞便槽５８の中に送り込む。  
【００２５】
使用する時、養殖チャンバ１１と沈降チャンバ４６とを連通する時、第一モータ２９が起動して動力棒４２を回転連動させ、動力棒４２の回転がねじ山ブロック４４と当て板２０との下への移動を連動させることによって、当て板２０がヒンジ繋棒２７によって引き動かし棒２１を連動させて右に移動させ、引き動かし棒２１が補助チャンバ２５と補助ブロック２２とを介してスライド棒１３を上に移動させ、スライド棒１３がスライドブロック１６を上に移動連動され、更に養殖チャンバ１１と連結チャンバ１５とを連通し、養殖チャンバ１１の中の養殖水が連結チャンバ１５の中に入ることができ、そして流通チャンバ１９を通って沈降チャンバ４６の中に入り、当て板２０が下に移動する時、動力棒４２の回転が第二歯車３０の回転を連動させ、第二歯車３０が第一チェーン３１によって第一歯車３３と伝動棒３４との回転を連動させ、伝動棒３４の回転が位置制限板３５と隔離板３７とを上に移動させ、隔離板３７が流出口３９と沈降チャンバ４６とを仕切り、養殖チャンバ１１と沈降チャンバ４６の中の養殖水がバランスを取った後、第一モータ２９が反転して当て板２０を連動させて上に移動させ、養殖チャンバ１１と沈降チャンバ４６とを連通させなく、この時沈降チャンバ４６の中の養殖水が濾過網４０に濾過されてから流出口３９から排出され、糞便が沈降チャンバ４６の底部に残り、そして第二モータ４７が起動して回転棒４８の回転を連動させ、回転棒４８の回転が推動板４５を連動させて前に移動させ、糞便の移動を押し動かし、推動板４５が前に移動する時、回転棒４８の回転が第三歯車５１の回転を連動させ、第三歯車５１が第二チェーン５２によって第四歯車５４と連結棒５５とを回転連動させ、連結棒５５の回転が固定ブロック５７と固定板４９を前に移動させ、沈降チャンバ４６と糞便槽５８とを連通させ、推動板４５が糞便を糞便槽５８の中に送り込む。  
【００２６】
本発明の有益効果は：本発明の制御機構の中のスライドブロックが上に移動して養殖チャンバと連結チャンバとを連通させ、養殖チャンバ内の養殖水が流通チャンバを通って沈降チャンバの中に入る過程において、分離器によって養殖物が連結チャンバの中に入って養殖物の沈降チャンバ内の進入によって招いた損失を防止でき、一方、沈降チャンバと養殖チャンバの中の養殖水がバランスを取った後、当て板が上に移動して養殖チャンバと沈降チャンバとを連通させなく、沈降チャンバの中の養殖水が養殖チャンバの中に流れ戻ることを防止でき、沈降チャンバの中の養殖水が濾過網と流出口から排出され、糞便を沈降チャンバの中に残し、輸送機構の中に推動板により糞便を糞便槽の中に輸送し、人力の引き上げによらなくても完全な処理を保証でき、宣伝価値がある。  
【００２７】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。